【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
複数のＡＶストリームから再生された画像を同時に画面表示するＡＶストリーム再生装置であって、
複数のＡＶストリームを取得するＡＶストリーム取得部と、
前記ＡＶストリーム取得部で取得された複数のＡＶストリームをデコードする複数のデコーダと、
前記複数のデコーダの性能に関する情報を管理するデコーダ性能管理部と、
特定のデコーダが優先的に割り当てられるＡＶストリームを判断するための基準であって、ユーザ視聴形態に関する基準が設定されるモード設定部と、
前記モード設定部に設定された基準及び前記デコーダ性能管理部の情報に基づき、ユーザが指示又は動作したユーザ視聴形態に応じて、各ＡＶストリームに割り当てるデコーダを決定するデコーダ管理部と、
前記デコーダ管理部による決定に従って、ＡＶストリームのデコードに使用するデコーダを切り換えるデコーダ切り換え部と、
前記複数のデコーダでデコードされた複数の画像を個別の画像表示枠を用いて同時に画面表示させる出力部とを備え、
前記ユーザ視聴形態は、各ＡＶストリームに対応した画像表示枠が前記出力部の画面上に表示された際の画面表示状態であることを特徴とする、ＡＶストリーム再生装置。
【請求項２】
前記画面表示状態が、画像表示枠のＺ軸位置であることを特徴とする、請求項１に記載のＡＶストリーム再生装置。
【請求項３】
前記画面表示状態が、画像表示枠のサイズであることを特徴とする、請求項１に記載のＡＶストリーム再生装置。
【請求項４】
前記画面表示状態が、画像表示枠の表示位置であることを特徴とする、請求項１に記載のＡＶストリーム再生装置。
【請求項５】
前記画面表示状態が、画像表示枠内の輝度であることを特徴とする、請求項１に記載のＡＶストリーム再生装置。
【請求項６】
前記ユーザ視聴形態は、さらにＡＶストリーム再生装置の装置形状であることを特徴とする、請求項１に記載のＡＶストリーム再生装置。
【請求項７】
複数のＡＶストリームから再生された画像を同時に画面表示するＡＶストリーム再生装置が実行するデコーダ切り換え方法であって、
複数のＡＶストリームを取得するステップと、
前記複数のＡＶストリームをデコードするステップと、
ユーザが指示又は動作したユーザ視聴形態を認識するステップと、
予め設定された、複数のデコーダの性能に関する情報、及び特定のデコーダが優先的に割り当てられるＡＶストリームを判断するための基準であってユーザ視聴形態に関する基準に基づき、前記認識されたユーザ視聴形態に応じて各ＡＶストリームに割り当てるデコーダを決定するステップと、
前記決定するステップによる決定に従って、ＡＶストリームのデコードに使用するデコーダを切り換えるステップとを含み、
前記ユーザ視聴形態は、前記デコードするステップでデコードされた複数の画像が個別の画像表示枠を用いて同時に画面表示された際の画面表示状態であることを特徴とする、デコーダ切り換え方法。
【請求項８】
複数のＡＶストリームから再生された画像を同時に画面表示するＡＶストリーム再生装置が、デコーダ切り換え方法を実行するためのプログラムであって、
複数のＡＶストリームを取得するステップと、
前記複数のＡＶストリームをデコードするステップと、
ユーザが指示又は動作したユーザ視聴形態を認識するステップと、
予め設定された、複数のデコーダの性能に関する情報、及び特定のデコーダが優先的に割り当てられるＡＶストリームを判断するための基準であってユーザ視聴形態に関する基準に基づき、前記認識されたユーザ視聴形態に応じて各ＡＶストリームに割り当てるデコーダを決定するステップと、
前記決定するステップによる決定に従って、ＡＶストリームのデコードに使用するデコーダを切り換えるステップとを含み、
前記ユーザ視聴形態は、前記デコードするステップでデコードされた複数の画像が個別の画像表示枠を用いて同時に画面表示された際の画面表示状態であることを特徴とする、プログラム。
【請求項９】
複数のＡＶストリームから再生された画像を同時に画面表示するＡＶストリーム再生装置が、デコーダ切り換え方法を実行するためのプログラムを記録した媒体であって、
複数のＡＶストリームを取得するステップと、
前記複数のＡＶストリームをデコードするステップと、
ユーザが指示又は動作したユーザ視聴形態を認識するステップと、
予め設定された、複数のデコーダの性能に関する情報、及び特定のデコーダが優先的に割り当てられるＡＶストリームを判断するための基準であってユーザ視聴形態に関する基準に基づき、前記認識されたユーザ視聴形態に応じて各ＡＶストリームに割り当てるデコーダを決定するステップと、
前記決定するステップによる決定に従って、ＡＶストリームのデコードに使用するデコーダを切り換えるステップとを含み、
前記ユーザ視聴形態は、前記デコードするステップでデコードされた複数の画像が個別の画像表示枠を用いて同時に画面表示された際の画面表示状態であることを特徴とするプログラムを記録した、記録媒体。
【請求項１０】
複数のＡＶストリームから再生された画像を同時に画面表示するＡＶストリーム再生装置に用いられる集積回路であって、
複数のＡＶストリームを取得するＡＶストリーム取得部と、取得された複数のＡＶストリームをデコードする複数のデコーダと、当該複数のデコーダでデコードされた複数の画像を個別の画像表示枠を用いて同時に画面表示させる出力部とを備えたＡＶストリーム再生装置に組み込まれ、
前記複数のデコーダの性能に関する情報を管理するデコーダ性能管理部、
特定のデコーダが優先的に割り当てられるＡＶストリームを判断するための基準であって、ユーザ視聴形態に関する基準が設定されるモード設定部、
前記モード設定部に設定された基準及び前記デコーダ性能管理部の情報に基づき、ユーザが指示又は動作したユーザ視聴形態に応じて、各ＡＶストリームに割り当てるデコーダを決定するデコーダ管理部、及び
前記デコーダ管理部による決定に従って、ＡＶストリームのデコードに使用するデコーダを切り換えるデコーダ切り換え部として機能する回路を集積し、
前記ユーザ視聴形態は、各ＡＶストリームに対応した画像表示枠が前記出力部の画面上に表示された際の画面表示状態であることを特徴とする、集積回路。
【手続補正２】
【補正対象書類名】明細書
【補正対象項目名】０００７
【補正方法】変更
【補正の内容】
【０００７】
図１８を参照して、携帯電話１７００は、全体の制御を行うＣＰＵ１８０１と、プログラム等が格納されたＲＯＭ１８０２及びＲＡＭ１８０３と、ＢＵＳ１８０５と、放送アンテナ１７１１を介して得られるテレビ放送データを受信するＴＶ受信部１８１０と、通信アンテナ１７２１を介してテレビ電話データを送受信する通信部１８２０と、キー１７３１のオン／オフを制御するキーコントローラ１８３０と、ＴＶ受信部１８１０及び通信部１８２０が受信したＡＶストリームのデコードを行う２つのデコーダＡ１８４１及びデコーダＢ１８４２と、デコードされた結果をＬＣＤパネル１７５１上のＴＶ放送枠１７１０及びＴＶ電話枠１７２０で表示させるＬＣＤコントローラ１８５０と、デコーダＡ１８４１及びデコーダＢ１８４２でデコードされた音声データをアナログ信号に変換してスピーカ１７６１に出力するＤ／Ａ変換器１８６０とを、少なくとも備えている。
【手続補正３】
【補正対象書類名】明細書
【補正対象項目名】０００８
【補正方法】変更
【補正の内容】
【０００８】
次に、従来技術におけるデコーダとアプリケーションの画像表示枠との関係について説明する。
図１９は、従来の一般的な技術における、デコーダとアプリケーションの画像表示枠との関係を示している。画面表示例では、ＴＶ受信部１８１０がデコーダＡ１８４１に、通信部１８２０がデコーダＢ１８４２に、それぞれ固定的に接続されている。デコーダＡ１８４１でデコードされたデータがテレビ放送アプリケーションのＴＶ放送枠１７１０としてＬＣＤパネル１７５１に表示され、デコーダＢ１８４２でデコードされたデータがテレビ電話アプリケーションのＴＶ電話枠１７２０としてＬＣＤパネル１７５１に表示される。ここで、各アプリケーションの出力は画像表示枠のみならず、音声によりスピーカ１７６１からも出力される。図１８における出力部１８８０は、ＬＣＤパネル１７５１とスピーカ１７６１の両方を含む。